(57)【要約】      （修正有）【課題】包装される薬剤の安定性を高めるべく遮光性の高い樹脂シートをＰＴＰシート用包装体として採用しながらも、アルミカバーフィルムに表示された文字等の情報の可読性を確保するとともに、ＰＴＰシートの反りを簡単かつ低コストな構造で防止する。【解決手段】縦横に複数列の薬剤収容ポケット２が形成された透明乃至半透明のＰＴＰシート用包装体１に対し、ポケット２を塞ぐようにカバーフィルムが貼着されてなるＰＴＰシートにおいて、ＰＴＰシート用包装体１のシート状部の所定の部位が薄肉を形成し、カバーフィルムには、シート状部の薄肉部４に対応する位置に目視可能な文字を表示し、薄肉部４に隣接して比較的厚肉のリブ５を形成して、該リブ５によりＰＴＰシートの反りを防止する。【選択図】図１
2008290739.tif 000002
【特許請求の範囲】
【請求項１】
縦方向並びに横方向に複数列の薬剤収容ポケットが形成された透明乃至半透明のＰＴＰシート用包装体に対し、前記ポケットを塞ぐようにカバーフィルムが貼着されてなるＰＴＰシートにおいて、前記ポケット部分以外のＰＴＰシート用包装体のシート状部の所定の部位が、シート状部のその他の部位よりも薄肉に形成されていることを特徴とするＰＴＰシート。
【請求項２】
カバーフィルムには、前記シート状部の薄肉部に対応する位置に、薄肉部を介して目視可能な文字などの情報が表示されていることを特徴とする請求項１に記載のＰＴＰシート。
【請求項３】
シート状部の前記薄肉部は、横一列の複数のポケットにわたるように延びていることを特徴とする請求項１又は２に記載のＰＴＰシート。
【請求項４】
シート用包装体は熱可塑性樹脂材からなり、シート状部の前記薄肉部は、シート状部を加熱圧縮することにより形成されたものであり、加熱圧縮により押し出された樹脂材によって比較的厚肉のリブが前記薄肉部に隣接して形成されており、該リブは、前記シート状部の薄肉部並びにリブを除くシート状部のその他の部位よりも厚肉に形成されていることを特徴とする請求項１，２又は３に記載のＰＴＰシート。
【請求項５】
前記リブは、横一列の複数のポケットにわたるように延びており、該リブがＰＴＰシートの横方向の反りを防止することを特徴とする請求項４に記載のＰＴＰシート。
【請求項６】
前記薄肉部に、横一列の複数のポケットを一体としてＰＴＰシートを切り離すための切り込みが形成されていることを特徴とする請求項３に記載のＰＴＰシート。
【請求項７】
前記リブに、横一列の複数のポケットを一体としてＰＴＰシートを切り離すための切り込みが形成されていることを特徴とする請求項５に記載のＰＴＰシート。
【発明の詳細な説明】
【技術分野】
【０００１】
本発明は、錠剤やカプセルなどの薬剤を包装するためのＰＴＰシートに関する。
【背景技術】
【０００２】
一般に、ＰＴＰシート は、錠剤等が充填されるポケット部が形成された樹脂製の包装用シートと、その包装用シートにポケット部の開口側を密封するように前記包装用シートに貼着されるアルミニウム製のカバーフィルムとから構成されている（例えば特許文献１参照）。
【特許文献１】特開２００６−２０６０７０号公報
【０００３】
このＰＴＰシートのカバーフィルムの表面には、厚生労働省の通知によりその製剤の販売名、規格、含量若しくは使用期限などの文字や、ＱＲコードや二次元バーコードなどの記号からなる各種情報が表示され、透明な包装用シートを介して目視できるようになっている。
【発明の開示】
【発明が解決しようとする課題】
【０００４】
近年、光等に対して不安定な製剤も少なくなく、ＰＴＰシートにおいても高機能化を求められており、可視光域を含めて高い遮光性が求められる場合もある。
【０００５】
しかし、包装用シートの遮光性を高くすると透明性が犠牲になり、可視光も遮断するために曇りが強く、カバーフィルムに印字された製剤名や企業名等の文字等の情報が包装用シートを通して見ると鮮明さに欠けることとなる。
【０００６】
また、ＰＴＰシートは熱可塑性樹脂材からなる包装用シートとアルミニウムフィルムを貼り合わせたものであり、それら素材の熱収縮率の相違に起因してＰＴＰシートが横方向に反る傾向がある。
【０００７】
そこで、本発明は、包装される薬剤の安定性を高めるべく遮光性の高い樹脂シートをＰＴＰシート用包装体として採用しながらも、アルミカバーフィルムに表示された文字の可読性を確保し得るＰＴＰシートを提供することを目的とする。また、本発明は、ＰＴＰシートの反りを簡単かつ低コストな構造で防止し得るＰＴＰシートを提供することを目的とする。
【課題を解決するための手段】
【０００８】
本発明は、上記目的を達成するために、次の技術的手段を講じた。
【０００９】
即ち、本発明は、縦方向並びに横方向に複数列の薬剤収容ポケットが形成された透明乃至半透明のＰＴＰシート用包装体に対し、前記ポケットを塞ぐようにカバーフィルムが貼着されてなるＰＴＰシートにおいて、前記ポケット部分以外のＰＴＰシート用包装体のシート状部の所定の部位が、シート状部のその他の部位よりも薄肉に形成されていることを特徴とするものである。かかる本発明によれば、上記カバーフィルムには、前記シート状部の薄肉部に対応する位置に、薄肉部を介して目視可能な文字などの情報を表示させることができ、ＰＴＰシート包装体として遮光性の高い材料を使用しながらも、カバーフィルムに表示された文字は薄肉部を介して鮮明に読み取ることができる。
【００１０】
シート状部の前記薄肉部は、横一列の複数のポケットにわたるように延びていて良い。これによれば、薄肉部をＰＴＰシートの意匠性向上に役立てることができる。さらに、かかる薄肉部に、横一列の複数のポケットを一体としてＰＴＰシートを切り離すための切り込みが形成されているものとすることができる。これによれば、薄肉部が軽い力で容易に折曲がるので、切り離しが容易かつ迅速に行える。
【００１１】
また、シート用包装体は熱可塑性樹脂材からなり、シート状部の前記薄肉部は、シート状部を加熱圧縮することにより形成されたものであり、加熱圧縮により押し出された樹脂材によって比較的厚肉のリブが前記薄肉部に隣接して形成されており、該リブは、前記シート状部の薄肉部並びにリブを除くシート状部のその他の部位よりも厚肉に形成されているものとすることができる。これによれば、製造工程の簡素化を図りつつ、比較的厚肉のリブをＰＴＰシート用包装体に形成させることができ、該リブによってシートの補強を行うことができる。さらに、前記リブは、横一列の複数のポケットにわたるように延びており、該リブがＰＴＰシートの横方向の反りを防止するものであってよい。また、当該リブに、横一列の複数のポケットを一体としてＰＴＰシートを切り離すための切り込みが形成されていてよい。
【発明の効果】
【００１２】
本発明によれば、包装される薬剤の安定性を高めるべく遮光性の高い樹脂シートをＰＴＰシート用包装体として採用しながらも、アルミカバーフィルムに表示された文字等の情報部分においては透明性を確保することにより十分な可読性を得ることができる。
したがって、従来はアルミカバーフィルムに表示された情報の確認ができなかったために製品に採用されることが殆どなかった結晶性樹脂シート、例えば、防湿性を優先してＰＥＨＤ層を含んだ結晶性樹脂を用いてＰＴＰシート用包装体を成形した場合でも、ポケット部は圧空されて肉が延びることにより薄肉化して内部が透けるようになるためにポケット内の錠剤を目視確認することができるとともに、文字等の情報部分においても薄肉化することで透明性を確保しているため十分に情報が確認できる。
また、赤・オレンジ等の遮光が必要な製剤に用いるＰＴＰシートでも上記と同様の効果を発揮できる。
また、着色された薄肉部を有するシートと着色されたカバーフィルムとの組み合わせにより、色彩上の視覚的効果を与えるため、医療過誤を防止する役割も果たす。
さらに、薄肉にするべく押し出された樹脂材によって形成したリブによりＰＴＰシートを補強し、ＰＴＰシートの反りを防止することができる。
【発明を実施するための最良の形態】
【００１３】
以下、本発明の実施形態を図面に基づいて説明する。
【００１４】
図１はＰＴＰシート用包装体１の第１実施例を示し、該包装体１は半透明の熱可塑性樹脂材からなり、縦方向に５列、横方向に２列の薬剤収容ポケット２が形成されている。後述するように、ポケット２に錠剤を収容した後、上記包装体１の裏面にはポケット２を塞ぐようにアルミニウム製のカバーフィルム３が貼着されて、ＰＴＰシートが構成される。
【００１５】
包装体１は、縦方向の各ポケット２の間の部位が、シート状部のその他の部位よりも薄肉に形成されて薄肉部４となされている。当該薄肉部４は、横一列の２つのポケット２にわたるように横幅全長にわたって形成されている。さらに、薄肉部４の前後縁部には、比較的厚肉のリブ５が薄肉部４に隣接して形成されており、該リブ５もＰＴＰシートの横幅全長にわたって形成されている。このリブ５の肉厚は、包装体１のシート状部の薄肉部４並びにリブ５を除くシート状部のその他の部位よりも厚肉に形成されている。
【００１６】
前記カバーフィルム３には、前記シート状部の薄肉部４に対応する位置に、薄肉部４を介して目視可能な文字、例えば製剤の販売名、規格、含量や使用期限などの情報を表示できる。
【００１７】
また、上記薄肉部４に、横一列の２つのポケット２を一体としてＰＴＰシートを切り離すための切り込み６が形成されている。該切り込み６は、表面側に横幅方向全長にわたって形成されたものであってもよいし、ミシン目状に形成することもできる。
【００１８】
図２はＰＴＰシート包装体１の第２実施例を示し、上記第１実施例と異なるところは、各薄肉部４の縦方向（前後方向）の中央部にリブ５が形成されている点であり、その他の構成は同様であるので同符号を付して詳細説明を省略する。
【００１９】
図３並びに図４はＰＴＰシート包装体１’の第３、第４実施例を示し、該包装体１’は半透明の熱可塑性樹脂材からなり、縦方向に５列、横方向に２列の薬剤収容ポケット２が形成されて、縦方向のポケット２の間には、横幅全長にわたる切り込み６が形成されている。後述するように、ポケット２に錠剤を収容した後、上記包装体１の裏面にはポケット２を塞ぐようにアルミニウム製のカバーフィルム３が貼着されて、ＰＴＰシートが構成される。
【００２０】
包装体１’は、デザイン性、並びに、カバーフィルム３に表示される文字等の情報の位置などに鑑みて所定の部位が、シート状部のその他の部位よりも薄肉に形成されて薄肉部４となされている。この薄肉部４の位置、形状は任意に設計することができ、薄肉部４を介してカバーフィルム３に表示された文字を目視可能にすることができる。
【００２１】
図５は、ＰＴＰシートの製造装置を説明する概略構成図であり、ＰＴＰシート包装体の原反供給部１０から供給される原反Ｓは、加熱部１１によってポケット形成位置が加熱され、成形金型１２によってポケット２が成形される。冷却後に錠剤充填装置１３において各ポケット２に錠剤が充填・検査され、その後包装体１，１’の裏面にカバーシート３が加熱溶着ロール１４により加熱溶着される。なお、ロール１４にはポケット２を変形させないようにポケット２が収容される凹部が形成されたものを使用できる。
【００２２】
その後、刻印押印部１５において必要に応じてシートの所定部位に刻印や押印を行い、打ち抜き部１６において、切り込み６（分割線）を形成した後に横２列、縦５列にカット打ち抜きされ、ベルトコンベア１７により排出される。
【００２３】
上記薄肉部４は、成形金型１２による溶融加圧圧縮により形成することもできるし、加熱溶着ロール１４による加熱圧縮により形成することもできるし、刻印押印部１５での加熱圧縮により形成することもできるし、また、その他、薄肉部形成用の加熱圧縮装置を別途適宜の位置に設けても良い。このようなシート用包装体１，１’のシート状部の加熱圧縮による薄肉部４の形成によれば、加熱圧縮により押し出された樹脂材によって比較的厚肉のリブ５を薄肉部４に隣接して形成することができるので、リブ５形成の簡素化とコスト低減を図ることができる。
【００２４】
本発明は上記実施形態に限定されるものではなく、適宜設計変更できる。例えば、各ＰＴＰシートにおけるポケット４の配置や列数は適宜必要に応じて変更することができ、横方向の列数が縦方向の列数よりも多くても良い。また、薄肉部４やリブ５は横幅全長にわたっていなくてもよく、例えば横方向にポケットが４つある場合には、左右の２つのポケットを一つの分割単位として、２つのポケット２にわたるように薄肉部４やリブ５が形成されていてもよい。
【図面の簡単な説明】
【００２５】
【図１】本発明の第１実施例に係るＰＴＰシート用包装体を示し、（ａ）は平面図、（ｂ）は側面図である。
【図２】本発明の第２実施例に係るＰＴＰシート用包装体を示し、（ａ）は平面図、（ｂ）は側面図である。
【図３】本発明の第３実施例に係るＰＴＰシート用包装体の平面図である。
【図４】本発明の第４実施例に係るＰＴＰシート用包装体の平面図である。
【図５】本発明のＰＴＰシートを製造する製造装置の概略構成図である。
【符号の説明】
【００２６】
１  ＰＴＰシート用包装体
２  ポケット
３  カバーフィルム
４  薄肉部
５  リブ
６  切り込み
【図１】
2008290739.tif 000003
【図２】
2008290739.tif 000004
【図３】
2008290739.tif 000005
【図４】
2008290739.tif 000006
【図５】
2008290739.tif 000007